(57)【要約】  学習型調理器具を利用した料理方法が開示される。料理方法は、ユーザの操作によって設定される特定の料理を調理するための調理パターンを臨時に保存する段階と、調理パターンによる特定の料理の調理が完了した後、臨時に保存した調理パターンを特定の料理に相応するメニューとして保存する段階と、特定の料理の調理のために、特定の料理に相応するメニューを実行する段階と、を含む。【選択図】図２
2013522572.tif 000002
【特許請求の範囲】
【請求項１】
ユーザの操作によって設定される特定の料理を調理するための調理パターンを臨時に保存する段階と、
前記調理パターンによる前記特定の料理の調理が完了した後、前記臨時に保存された調理パターンを前記特定の料理に相応するメニューとして保存する段階と、
前記特定の料理の調理のために、前記特定の料理に相応するメニューを実行する段階と、
を含む学習機能を有する調理器具を利用した料理方法。
【請求項２】
前記調理パターンは、
それぞれが互いに異なる駆動強度及び駆動時間を有する多数の調理段階を含むことを特徴とする請求項１に記載の学習機能を有する調理器具を利用した料理方法。
【請求項３】
前記調理パターンを臨時に保存する段階は、
前記多数の調理段階の実行中に、前記ユーザの関与が必要な時点を設定する段階をさらに含み、
前記特定の料理に相応するメニューを実行する段階は、
聴覚的方法及び視覚的方法のうちの少なくとも１つを用いて、前記多数の調理段階の実行中に、前記ユーザの関与が必要な時点を前記ユーザに知らせる段階を含む請求項２に記載の学習機能を有する調理器具を利用した料理方法。
【請求項４】
前記特定の料理に相応するメニューを実行する段階は、
聴覚的方法及び視覚的方法のうちの少なくとも１つを用いて、前記特定の料理に相応するメニューの実行過程を前記ユーザに知らせる段階を含む請求項１に記載の学習機能を有する調理器具を利用した料理方法。
【請求項５】
前記学習機能を有する調理器具を利用した調理方法は、
聴覚的方法及び視覚的方法のうちの少なくとも１つを用いて、前記臨時に保存された調理パターンを前記特定の料理に相応するメニューとして保存するか否かを前記ユーザに問う段階をさらに含むことを特徴とする請求項１に記載の学習機能を有する調理器具を利用した料理方法。
【請求項６】
前記臨時に保存された調理パターンを前記特定の料理に相応するメニューとして保存する段階は、
あらかじめ保存された少なくとも１つの前記特定の料理に相応するメニューと前記臨時に保存された調理パターンとの間の順位を定め、前記臨時に保存された調理パターンを前記定められた順位の前記特定の料理に相応するメニューとして保存する段階を含む請求項１に記載の学習機能を有する調理器具を利用した料理方法。
【請求項７】
請求項１ないし請求項６のうち何れか一項に記載の学習機能を有する調理器具を利用した料理方法を実行するためのコードを保存するコンピュータで読み取り可能な記録媒体。
【請求項８】
ユーザの操作に基づいて多数の制御信号を発生させる動作制御部と、
第１制御信号に応答して、ユーザの操作によって設定される特定の料理を調理するための調理パターンを臨時に保存する第１メモリと、
第２制御信号に応答して、前記調理パターンによる前記特定の料理の調理が完了した後、前記臨時に保存された調理パターンを前記特定の料理に相応するメニューとして保存する第２メモリと、
第３制御信号に応答して、実行される前記特定の料理に相応するメニューによって調理対象にエネルギーを供給する加熱装置と、
を含む学習機能を有する調理器具。
【請求項９】
前記調理パターンは、
それぞれが互いに異なる駆動強度及び駆動時間を有する多数の調理段階を含むことを特徴とする請求項８に記載の学習機能を有する調理器具。
【請求項１０】
前記第１メモリには、
前記多数の調理段階の実行中に、前記ユーザの関与が必要な時点がさらに保存され、
前記学習型調理器具は、
第４制御信号に応答して、前記多数の調理段階の実行中に、前記ユーザの関与が必要な時点を聴覚的方法及び視覚的方法のうちの少なくとも１つを用いて、前記ユーザに知らせるアラーム装置をさらに含む請求項９に記載の学習機能を有する調理器具。
【請求項１１】
前記学習機能を有する調理器具は、
第５制御信号に応答して、前記特定の料理に相応するメニューの実行過程を聴覚的方法及び視覚的方法のうちの少なくとも１つを用いて、前記ユーザに知らせる状態報知装置をさらに含む請求項８に記載の学習機能を有する調理器具。
【請求項１２】
前記状態報知装置は、
前記第５制御信号に応答して、前記臨時に保存された調理パターンを前記特定の料理に相応するメニューとして保存するか否かを聴覚的方法及び視覚的方法のうちの少なくとも１つを用いて、前記ユーザにさらに問う請求項１１に記載の学習機能を有する調理器具。
【請求項１３】
前記ユーザは、
あらかじめ保存された少なくとも１つの前記特定の料理に相応するメニューと前記臨時に保存された調理パターンとの間の順位を定め、前記臨時に保存された調理パターンを前記定められた順位の前記特定の料理に相応するメニューとして前記第２メモリに保存することを特徴とする請求項１に記載の学習機能を有する調理器具を利用した料理方法。
【発明の詳細な説明】
【技術分野】
【０００１】
本発明は、調理器具及びそれを利用した料理方法に係り、より詳しくは、ユーザが特定の料理を作るために、前記調理器具を作動させた過程、すなわち、前記特定の料理についての特定の調理パターンを前記調理器具にメニュー化して、前記特定の料理に利用できる調理器具及びそれを利用した料理方法に関する。
【背景技術】
【０００２】
従来の調理器具は、多数の料理についてのメニューがあらかじめメモリにプログラムされた状態で製造されて消費者に供給されていた。したがって、消費者が、従来の調理器具を用いて特定の料理を作ろうとする場合、消費者は、前記メモリにあらかじめ保存された前記特定の料理に係る特定のメニューによる調理温度、調理時間などによって調理しなければならず、あらかじめ保存されたメニュー以外の調理パターンで前記特定の料理を作ろうとする場合には、調理する度にいちいち調理器具の調理温度、調理時間などを調節しなければならない不便さがあった。
【０００３】
一般的な料理調理過程では、調理するユーザの関与が必要な場合が多い。例えば、ラーメンを沸かす場合において、湯が沸けば、ユーザは、ラーメンとスープとを煮え湯に入れなければならない。しかし、従来の調理器具は、ユーザの関与が必要な時点をユーザに知らせない。したがって、ユーザの関与が必要な料理を調理する場合、ユーザが随時に調理過程をチェックしなければならない不便さがある。
【発明の概要】
【発明が解決しようとする課題】
【０００４】
本発明は前記のような点に鑑みてなされたものであって、本発明の目的は、あらかじめプログラムされたメニュー以外にも、ユーザが好む味を出すことができる特定の料理についての調理パターンをメニュー化し、前記特定の料理に係る調理過程でユーザの関与が必要な時点をユーザに知らせる調理器具及びそれを利用した料理方法を提供するところにある。
【課題を解決するための手段】
【０００５】
このような目的を達成するための本発明の学習機能を有する調理器具を利用した料理方法は、ユーザの操作によって設定される特定の料理を調理するための調理パターンを臨時に保存する段階と、前記調理パターンによる前記特定の料理の調理が完了した後、前記臨時に保存された調理パターンを前記特定の料理に相応するメニューとして保存する段階と、前記特定の料理の調理のために、前記特定の料理に相応するメニューを実行する段階と、を含む。この際、前記調理パターンには、それぞれが互いに異なる駆動強度及び駆動時間を有する多数の調理段階が含まれる。
【０００６】
前記調理パターンを臨時に保存する段階は、前記多数の調理段階の実行中に、前記ユーザの関与が必要な時点を設定する段階をさらに含む。この際、前記特定の料理に相応するメニューを実行する段階は、聴覚的方法及び視覚的方法のうちの少なくとも１つを用いて、前記多数の調理段階の実行中に、前記ユーザの関与が必要な時点を前記ユーザに知らせる段階を含む。
【０００７】
前記特定の料理に相応するメニューを実行する段階は、聴覚的方法及び視覚的方法のうちの少なくとも１つを用いて、前記特定の料理に相応するメニューの実行過程を前記ユーザに知らせる段階を含む。
【０００８】
前記学習機能を有する調理器具を利用した調理方法は、聴覚的方法及び視覚的方法のうちの少なくとも１つを用いて、前記臨時に保存された調理パターンを前記特定の料理に相応するメニューとして保存するか否かを前記ユーザに問う段階をさらに含む。
【０００９】
前記臨時に保存された調理パターンを前記特定の料理に相応するメニューとして保存する段階は、あらかじめ保存された少なくとも１つの前記特定の料理に相応するメニューと前記臨時に保存された調理パターンとの間の順位を定め、前記臨時に保存された調理パターンを前記定められた順位の前記特定の料理に相応するメニューとして保存する段階を含む。
【００１０】
本発明の実施形態による学習機能を有する調理器具を利用した料理方法は、コンピュータで読み取り可能な記録媒体に保存された前記学習機能を有する調理器具を利用した料理方法を実行するためのコンピュータプログラムを実行することによって具現可能である。
【００１１】
前記技術的課題を解決するための学習機能を有する調理器具は、動作制御部と、第１メモリと、第２メモリと、加熱装置と、を含む。前記動作制御部は、ユーザの操作に基づいて多数の制御信号を発生する。前記第１メモリは、第１制御信号に応答して、ユーザの操作によって設定される特定の料理を調理するための調理パターンを臨時に保存する。
【００１２】
前記第２メモリは、第２制御信号に応答して、前記調理パターンによる前記特定の料理の調理が完了した後、前記臨時に保存された調理パターンを前記特定の料理に相応するメニューとして保存する。前記加熱装置は、第３制御信号に応答して、実行される前記特定の料理に相応するメニューによって調理対象にエネルギーを供給するる。この際、前記調理パターンには、それぞれが互いに異なる駆動強度及び駆動時間を有する多数の調理段階が含まれる。
【００１３】
前記第１メモリには、前記多数の調理段階の実行中に、前記ユーザの関与が必要な時点がさらに保存される。そうすると、前記学習機能を有する調理器具に含まれたアラーム装置は、第４制御信号に応答して、前記多数の調理段階の実行中に、前記ユーザの関与が必要な時点を聴覚的方法及び視覚的方法のうちの少なくとも１つを用いて、前記ユーザに知らせる。
【００１４】
前記学習機能を有する調理器具は、第５制御信号に応答して、前記特定の料理に相応するメニューの実行過程を聴覚的方法及び視覚的方法のうちの少なくとも１つを用いて、前記ユーザに知らせる状態報知装置をさらに含む。この際、前記状態報知装置は、前記第５制御信号に応答して、前記臨時に保存された調理パターンを前記特定の料理に相応するメニューとして保存するか否かを聴覚的方法及び視覚的方法のうちの少なくとも１つを用いて、前記ユーザに問うこともできる。
【００１５】
前記ユーザは、あらかじめ保存された少なくとも１つの前記特定の料理に相応するメニューと前記臨時に保存された調理パターンとの間の順位を定め、前記臨時に保存された調理パターンを前記定められた順位の前記特定の料理に相応するメニューとして前記第２メモリに保存する。
【発明の効果】
【００１６】
本発明による学習機能を有する調理器具及びそれを利用した料理方法は、あらかじめ保存されたメニュー以外に、ユーザが好むスタイルで料理を作った後に、その調理過程をメニュー化し、ユーザにユーザの関与が必要な時点を知らせるので、（１）ユーザのみの料理スタイルをメニュー化して反復的に使うことができ、（２）ユーザが好むスタイルの料理調理時にユーザの過ちを減らし、ユーザの関与を最小化することができる効果を提供することができる。
【図面の簡単な説明】
【００１７】
【図１】本発明の実施形態による学習機能を有する調理器具のブロック図である。
【図２】図１に示された学習機能を有する調理器具を用いてユーザのみの調理パターンをメニュー化する過程を示すフローチャートである。
【図３】図１に示された学習機能を有する調理器具にメニュー化されたユーザのみの調理パターンを用いてラーメンを沸かす過程を示す図である。
【発明を実施するための形態】
【００１８】
本明細書または出願に開示されている本発明の概念による実施形態についての特定の構造的ないし機能的説明は、単に本発明の概念による実施形態を説明する目的で例示されたものであって、本発明の概念による実施形態は、多様な形態で実施され、本明細書または出願に説明された実施形態に限定されるものと解析されてはならない。
【００１９】
ある構成要素が、他の構成要素に“連結して”、または“接続して”いると言及された時には、その他の構成要素に直接的に連結しているか、または接続していることもあるが、中間に他の構成要素が存在することもあると理解しなければならない。一方、ある構成要素が、他の構成要素に“直接連結して”、または“直接接続して”いると言及された時には、中間に他の構成要素が存在しないものと理解しなければならない。構成要素間の関係を説明する他の表現、すなわち、“〜の間に”と“すぐ〜の間に”または“〜に隣合う”と“〜に直接隣合う”なども同様に解釈しなければならない。
【００２０】
第１及び／または第２などの用語は、多様な構成要素の説明に使われるが、前記構成要素は、前記用語によって限定されてはならない。前記用語は、１つの構成要素を他の構成要素から区別する目的のみで、例えば、本発明の概念による権利範囲から離脱されないまま、第１構成要素は、第２構成要素と名付けられ、同様に、第２構成要素は、第１構成要素とも名付けられうる。
【００２１】
ある構成要素が、他の構成要素に“連結して”、または“接続して”いると言及された時には、その他の構成要素に直接的に連結しているか、または接続していることもあるが、中間に他の構成要素が存在することもあると理解しなければならない。一方、ある構成要素が、他の構成要素に“直接連結して”、または“直接接続して”いると言及された時には、中間に他の構成要素が存在しないものと理解しなければならない。
【００２２】
以下、添付図面を参照して、本発明の望ましい実施形態を説明することによって、本発明を詳しく説明する。各図面に付された同じ参照符号は、同じ部材を表わす。
【００２３】
図１は、本発明の実施形態による学習機能を有する調理器具１００のブロック図である。前記学習機能を有する調理器具１００は、保存されたメニュー以外に、ユーザが好むスタイルで料理を作った後に、その料理過程をメニュー化し、ユーザにユーザの関与が必要な時点を知らせる。
【００２４】
前記調理器具１００は、電気レンジ、インダクションレンジである。しかし、本発明の範囲が、これに限定されるものではない。例えば、前記調理器具１００は、電気で制御されるか、電気を加熱エネルギーとして利用する多様な調理器具であってもよい。
【００２５】
図１を参照すると、前記調理器具１００は、動作制御部１１０、第１メモリ１２０、第２メモリ１３０、加熱装置１４０、アラーム装置１５０、及び状態報知装置１６０を含む。
【００２６】
前記動作制御部１１０は、ユーザの操作に基づいて多数の制御信号ＣＳ１ないしＣＳ５を発生する。前記動作制御部１１０は、多数のスイッチ１１１ないし１１４、及びマイクロプロセッサ１１５を含む。ユーザは、多数のスイッチ１１１ないし１１４を操作して、前記調理器具１００を駆動させるか、前記調理器具１００の動作環境を設定する。
【００２７】
前記マイクロプロセッサ１１５は、前記ユーザの前記多数のスイッチ１１１ないし１１４の操作に基づいて、前記調理器具１００を駆動するか、前記調理器具１００の動作環境を設定するための制御信号ＣＳ１ないしＣＳ５を発生して、前記調理器具１００の動作を全般的に制御する。以下、前記動作制御部１１０の制御に基づいた前記調理器具１００の動作、機能などについて説明する。
【００２８】
ユーザの第１スイッチ１１１の操作に基づいて、前記マイクロプロセッサ１１５は、第１制御信号ＣＳ１を発生する。そうすると、前記第１メモリ１２０は、第１制御信号ＣＳ１に応答して、ユーザの操作によって設定される特定の料理を調理するための調理パターンを臨時に保存することができる。
【００２９】
ここで、前記第１制御信号ＣＳ１は、ユーザのスイッチ操作などに基づいて発生するものではなく、前記調理器具１００に電源が印加され、あらかじめ保存されたメニューではない調理パターンで料理が進行する場合に、前記マイクロプロセッサ１１５で発生する信号でもあってもよい。
【００３０】
前記第１メモリ１２０は、前記調理器具１００に電源が供給される間にのみ前記調理パターンを保存できる揮発性メモリ（例えば、ＲＡＭ：Ｒａｎｄｏｍ  Ａｃｃｅｓｓ  Ｍｅｍｏｒｙ）である。しかし、本発明の範囲は、これに限定されるものではない。例えば、前記第１メモリ１２０は、データを保存し、該保存されたデータを削除／変更することができる不揮発性メモリ（例えば、フラッシュメモリ）であってもよい。
【００３１】
前記ユーザの操作による特定の料理についての調理パターンは、多数の段階に分けられる。前記多数の段階のそれぞれは、互いに異なる駆動強度及び駆動時間を有する。また、前記調理パターンには、前記多数の調理段階の実行中に、前記ユーザの関与が必要な時点がさらに含まれうる。
【００３２】
ユーザの第２スイッチ１１２の操作に基づいて、前記マイクロプロセッサ１１５は、第２制御信号ＣＳ２を発生する。そうすると、前記第２メモリ１３０は、前記第２制御信号ＣＳ２に応答して、前記調理パターンによる前記特定の料理の調理が完了した後、前記第１メモリ１２０に臨時に保存された調理パターンを前記特定の料理に相応するメニューとして保存することができる。
【００３３】
すなわち、ユーザは、調理を行うに当って、その過程を記憶／記録する必要がなく、その調理パターンをメニュー化するか否かのみを判断して、スイッチのみ操作すれば良い。この際、前記ユーザは、あらかじめ保存された少なくとも１つの前記特定の料理に相応するメニューと前記臨時に保存された調理パターンとの間の順位を定め、前記臨時に保存された調理パターンを前記定められた順位の前記特定の料理に相応するメニューとして前記第２メモリ１３０に保存する。
【００３４】
前記第２メモリ１３０には、ユーザの趣向によってメニュー化して保存される調理パターン以外に、前記調理器具１００の駆動のためのアプリケーションプログラムも保存できる。前記第２メモリ１３０は、前記調理器具１００に電源供給が遮断されても、保存したデータを保存できる不揮発性メモリとして具現されることが望ましい。前記第１メモリ１２０が、不揮発性メモリとして具現される場合、前記第１メモリ１２０と前記第２メモリ１３０は、１つのメモリ素子内に具現可能である。
【００３５】
上述したように、本発明の実施形態による調理器具１００は、メニューまたは動作環境が製造時にあらかじめプログラムされている従来の一般的な調理器具と異なって、調理中に発生するさまざまな理由によって変更される（火力、時間、温度など）条件を記憶していなるので、調理が終わった以後、調理された料理の状態がユーザが好む状態に符合する場合、その調理パターンをメニュー化し、次に同じ料理を調理する場合、そのメニューを呼び出して再使用することができる。
【００３６】
また、本発明の実施形態による調理器具１００は、あらかじめプログラムいたメニューを保存するメモリ部分（すなわち、第１メモリ１２０）と、現在進行している調理過程を保存するメモリ（すなわち、第２メモリ１３０）とに区分されるメモリ構造を有することを特徴とする。
【００３７】
ユーザの第３スイッチ１１２の操作に基づいて、前記マイクロプロセッサ１１５は、第３制御信号ＣＳ３を発生する。そうすると、前記加熱装置１４０は、前記第３制御信号ＣＳ３に応答して、実行される特定の料理に相応してメニュー化して保存された調理パターンによって調理対象にエネルギーを供給する。
一方、前記加熱装置１４０は、あらかじめ保存されたメニューの実行によって調理対象にエネルギーを供給することもできる。
【００３８】
前記調理器具１００が、メニュー化された調理パターンによって駆動される場合、前記マイクロプロセッサ１１５は、ユーザの関与が必要な時点で第４制御信号ＣＳ４を発生する。そうすると、前記アラーム装置１５０は、前記第４制御信号ＣＳ４に応答して、メニュー化された調理パターンの多数の調理段階の実行中に、前記ユーザの関与が必要な時点を聴覚的方法及び視覚的方法のうちの少なくとも１つを用いて、前記ユーザに知らせる。
【００３９】
ここで、聴覚的方法には、スピーカーを通じて警報音を発生させるか、ユーザが取らなければならない行動を知らせる方法などが含まれる。しかし、本発明の範囲が、これに限定されるものではない。また、視覚的方法には、各種ディスプレイ装置を通じてユーザが取らなければならない行動を知らせる方法、警告灯を点滅する方法などが含まれる。しかし、本発明の範囲が、これに限定されるものではない。
【００４０】
上述したように、本発明の実施形態による調理器具１００は、ユーザの関与が必要な時点を聴覚的または視覚的にユーザに知らせるので、ユーザは、調理進行中にも、他の仕事を行い、前記アラーム装置１５０の動作時にのみ料理に関与すれば良い。すなわち、本発明の実施形態による調理器具１００は、ユーザの過ちやユーザの関与を最小化し、ユーザが料理に没頭する時間を節約可能にする。
【００４１】
前記マイクロプロセッサ１１５は、前記調理器具１００の動作状態を表わすための第５制御信号ＣＳ５を発生する。そうすると、前記状態報知装置１６０は、前記第５制御信号ＣＳ５に応答して、前記調理器具１００の駆動強度、調理時間などを聴覚的方法及び視覚的方法のうちの少なくとも１つを用いてユーザに知らせる。
【００４２】
また、前記状態報知装置１６０は、前記第５制御信号ＣＳ５に応答して、メニュー化されて保存された特定の料理に相応する調理パターンの実行過程を聴覚的方法及び視覚的方法のうちの少なくとも１つを用いて、前記ユーザに知らせることもできる。
【００４３】
また、前記状態報知装置１６０は、前記第５制御信号ＣＳ５に応答して、前記臨時に保存した調理パターンを前記特定の料理に相応するメニューとして保存するか否かを聴覚的方法及び視覚的方法のうちの少なくとも１つを用いて、前記ユーザに問うこともできる。そうすると、ユーザは、前記第４スイッチ１１４を操作することによって、前記第１メモリ１２０に臨時に保存された調理パターンをメニューとして保存するか否かを決定することができる。
【００４４】
本発明の実施形態による調理器具１００の一部は、多様な形態のパッケージを用いて実装される。例えば、前記パッケージには、ＰｏＰ（Ｐａｃｋａｇｅ  ｏｎ  Ｐａｃｋａｇｅ）、Ｂａｌｌ  Ｇｒｉｄ  Ａｒｒａｙｓ（ＢＧＡｓ）、Ｃｈｉｐ  Ｓｃａｌｅ  Ｐａｃｋａｇｅｓ（ＣＳＰｓ）、Ｐｌａｓｔｉｃ  Ｌｅａｄｅｄ  Ｃｈｉｐ  Ｃａｒｒｉｅｒ（ＰＬＣＣ）、Ｐｌａｓｔｉｃ  Ｄｕａｌ  Ｉｎ−Ｌｉｎｅ  Ｐａｃｋａｇｅ（ＰＤＩＰ）、Ｄｉｅ  ｉｎ  Ｗａｆｆｌｅ  Ｐａｃｋ、Ｄｉｅ  ｉｎ  Ｗａｆｅｒ  Ｆｏｒｍ、ＣｈｉｐＯｎ  Ｂｏａｒｄ（ＣＯＢ）、Ｃｅｒａｍｉｃ  Ｄｕａｌ  Ｉｎ−Ｌｉｎｅ  Ｐａｃｋａｇｅ（ＣＥＲＤＩＰ）、Ｐｌａｓｔｉｃ  Ｍｅｔｒｉｃ  Ｑｕａｄ  Ｆｌａｔ  Ｐａｃｋ（ＭＱＦＰ）、Ｔｈｉｎ  Ｑｕａｄ  Ｆｌａｔｐａｃｋ（ＴＱＦＰ）、Ｓｍａｌｌ  Ｏｕｔｌｉｎｅ（ＳＯＩＣ）、Ｓｈｒｉｎｋ  Ｓｍａｌｌ  Ｏｕｔｌｉｎｅ  Ｐａｃｋａｇｅ（ＳＳＯＰ）、Ｔｈｉｎ  Ｓｍａｌｌ  Ｏｕｔｌｉｎｅ（ＴＳＯＰ）、Ｔｈｉｎ  Ｑｕａｄ  Ｆｌａｔｐａｃｋ（ＴＱＦＰ）、Ｓｙｓｔｅｍ  Ｉｎ  Ｐａｃｋａｇｅ（ＳＩＰ）、Ｍｕｌｔｉ  Ｃｈｉｐ  Ｐａｃｋａｇｅ（ＭＣＰ）、Ｗａｆｅｒ−ｌｅｖｅｌ  Ｆａｂｒｉｃａｔｅｄ  Ｐａｃｋａｇｅ（ＷＦＰ）、Ｗａｆｅｒ−Ｌｅｖｅｌ  Ｐｒｏｃｅｓｓｅｄ  Ｓｔａｃｋ  Ｐａｃｋａｇｅ（ＷＳＰ）などが含まれうる。
【００４５】
図２は、図１に示した学習機能を有する調理器具１００を用いてユーザのみの調理パターンをメニュー化する過程を示すフローチャートである。以下、図１及び図２を参照して、その過程を順次説明する。
【００４６】
ユーザが調理器具１００に電源を印加して、特定の料理の調理を開始する（ステップＳ２０）。そうすると、マイクロプロセッサ１１５は、第１制御信号ＣＳ１を発生し、第１メモリ１２０は、ユーザの操作によって設定される多数の調理段階及びユーザ関与時点を含む特定の料理についての調理パターンを臨時に保存する（ステップＳ２１）。
【００４７】
前記特定の料理に係る調理が完了した後、ユーザは、前記特定の料理の味が自身の期待値に符合するか否かによって、前記第１メモリ１２０に臨時に保存した調理パターンを前記特定の料理のメニューとして保存するか否かを決定する（ステップＳ２２）。前記特定の料理の味が自身の期待値に符合する場合、ユーザは、第２スイッチ１１２を操作して、前記第１メモリ１２０に臨時に保存した調理パターンを前記特定の料理のメニューとして第２メモリ１３０に保存することができる（ステップＳ２３）。
【００４８】
図３は、図１に示した学習機能を有する調理器具にメニュー化されたユーザのみの調理パターンを用いてラーメンを沸かす過程を示す。参考までに、図３で料理に利用される調理器具は、電気レンジと仮定する。以下、図１及び図３を参照して、その過程を説明する。
【００４９】
まず、ユーザは、容器に水を満たした後、調理器具１００に載せ、メニュー化したラーメン料理のパターンが保存された位置を選択して、ラーメン沸かしメニューを呼び出してラーメン料理を調理し始める。調理開始時点での調理器具１００の駆動強度（すなわち、火力）は、前記調理器具１００の火力のうち最も高い９段に設定される。
【００５０】
麺とスープとを煮え湯に入れるために、ユーザの関与が必要な調理開始後、６分が経過した時点でアラーム装置１５０は、警報音を発生する。そうすると、ユーザは、前記警報音を聞き、麺とスープとを容器に入れれば良い。警報音は、ユーザの準備過程を勘案して、麺とスープとを入れる時点から既定の時間（例えば、３０秒）前にあらかじめ鳴らすこともできる。
【００５１】
前記調理器具１００の火力は、調理開始後、８分が経過すれば、６段に、１２分が経過すれば、５段に、１３分が経過すれば、２段に２分間動作後、自動停止する。そうすると、前記アラーム装置１５０は、ユーザの好みに合うラーメン料理の調理が完了したということを警報音などを通じてユーザに知らせる。
【００５２】
上述したように、ユーザは、本発明の実施形態による調理器具１００を用いて、任意の料理を調理した後、料理が好みに合うように完成したならば、そのパターンを調理メニューに登録した後、引き続き同じ料理を作る必要がある時、保存された調理メニューを呼び出して、自身の趣向に合う料理を反復的に調理することができる。
【００５３】
本発明の実施形態による学習機能を有する調理器具を利用した料理方法は、またコンピュータで読み取り可能な記録媒体にコンピュータで読み取り可能なコードとして具現可能である。本発明の実施形態による学習機能を有する調理器具を利用した料理方法は、コンピュータで読み取り可能な記録媒体に保存された前記学習機能を有する調理器具を利用した料理方法を実行するためのコンピュータプログラムを実行することで具現しうる。
【００５４】
コンピュータで読み取り可能な記録媒体は、コンピュータシステムによって読み取れるデータが保存されるあらゆる種類の記録装置を含む。例えば、コンピュータで読み取り可能な記録媒体には、ＲＯＭ、ＲＡＭ、ＣＤ−ＲＯＭ、磁気テープ、フロッピー（登録商標）ディスク、光データ保存装置などがある。
【００５５】
また、コンピュータで読み取り可能な記録媒体は、ネットワークで連結されたコンピュータシステムに分散して、分散方式でコンピュータで読み取り可能なコードとして保存して実行可能である。そして、本発明の実施形態による学習機能を有する調理器具を利用した料理方法を具現するための機能的な（ｆｕｎｃｔｉｏｎａｌ）プログラム、コード及びコードセグメントは、本発明が属する技術分野のプログラマーによって容易に推論することが可能である。
【００５６】
本発明は、図面に示した一実施形態を参考にして説明されたが、これは例示的なものに過ぎず、当業者ならば、特許請求の技術的範囲内でより多様な変形及び他実施形態が可能である。
【産業上の利用可能性】
【００５７】
本発明は、学習機能を有する調理器具及びそれを利用した料理方法として料理を作る際、ユーザの過ちを減らし、ユーザの関与を最小化することができて、家庭用及び営業用の調理及び料理器具に利用されうる。
【図１】
2013522572.tif 000003
【図２】
2013522572.tif 000004
【図３】
2013522572.tif 000005
【国際調査報告】
2013522572.tif 000006
2013522572.tif 000007
2013522572.tif 000008
2013522572.tif 000009